(57)【要約】【課題】通常照明下では観察することができない情報を含んだホログラムを簡単な方法で作製することができる方法とその方法により作製されたホログラム。【解決手段】記録材料１１に物体光１と参照光２を同時に入射させてホログラム記録することで１段階目のホログラムＨ１を記録し、２段階目のホログラムＨ２を作製する際に、１段階目のホログラムＨ１の面近傍にパターン情報１２を配置し、そのパターン情報１２にも再生照明光３が同時に当たるように１段階目のホログラムＨ１に再生照明光３を照射して、１段階目のホログラムＨ１から物体像Ｏ’を再生させると共に、パターン情報１２から物体光を発生させ、その再生物体像近傍に２段階目のホログラム記録材料２１を配置して物体の像Ｏ’とパターン情報１２をホログラム記録することで２段階目のホログラムＨ２として記録するホログラム作製方法。【選択図】図１
2007163730.tif 000002
【特許請求の範囲】
【請求項１】
ホログラム記録材料に物体光と参照光を同時に入射させてホログラム記録することで１段階目のホログラムを記録し、その記録した１段階目のホログラムから物体像を再生させ、その再生物体像近傍に２段階目のホログラム記録材料を配置して反射型あるいは透過型のホログラムとして記録するホログラム作製方法において、
２段階目のホログラムを作製する際に、１段階目のホログラムの面近傍にパターン情報を配置し、そのパターン情報にも再生照明光が同時に当たるように１段階目のホログラムに再生照明光を照射して、１段階目のホログラムから物体像を再生させると共に、パターン情報から物体光を発生させ、その再生物体像近傍に２段階目のホログラム記録材料を配置して物体の像とパターン情報をホログラム記録することで２段階目のホログラムとして記録することを特徴とするホログラム作製方法。
【請求項２】
２段階目のホログラムが体積ホログラムとして記録されることを特徴とする請求項１記載のホログラム作製方法。
【請求項３】
１段階目のホログラム及び２段階目のホログラム記録時に用いる参照光として略平行な光を用いることを特徴とする請求項１又は２記載のホログラム作製方法。
【請求項４】
所定の再生照明光を照射したときに、ホログラム面近傍に物体像が再生され、かつ、ホログラム面から所定距離離間した位置に窓とその窓内に配置したパターン情報とが再生されるように記録されていることを特徴とするホログラム。
【請求項５】
体積ホログラムからなることを特徴とする請求項４記載のホログラム。
【発明の詳細な説明】
【技術分野】
【０００１】
本発明は、ホログラム作製方法及びその方法により作製されたホログラムに関し、特に、真偽判定を可能とし偽造困難なセキュリティ性の高いホログラムを作製する方法とその方法により作製されたホログラムに関するものである。
【背景技術】
【０００２】
ホログラムを体積型のイメージホログラムとして作製し、通常照明下で３Ｄ（３次元）像を観察可能にするために２ステップ法によりホログラム記録することが知られている（非特許文献１）。また、そのような体積型のイメージホログラムにおいて、平面パターン像を同時に記録することで、セキュリティ性と意匠性に優れたホログラムを作製する方法も知られている（特許文献１）。
【特許文献１】特開２００４−９４２０２号公報
【非特許文献１】久保田敏弘著「ホログラフィ入門−原理と実際」４７〜４８頁（１９９５年１１月２０日、（株）朝倉書店）
【発明の開示】
【発明が解決しようとする課題】
【０００３】
特許文献１記載の方法は、２ステップ法により２段階目に得られたホログラムを１つの原版とし、その上に平面パターン像を特殊な方法で記録した別のホログラムを重ね合わせて、その上に別のホログラム感材を重ね合わせ、ホログラム複製法により複製するという複雑な方法をとっており、必ずしも簡単な方法でセキュリティ性の高いホログラムを得ることができるものではなかった。
【０００４】
本発明は従来技術のこのような状況に鑑みてなされたものであり、その目的は、通常照明下では観察することができない情報（コバート情報）を含んだホログラムを簡単な方法で作製することができる方法とその方法により作製されたホログラムを提供することである。
【課題を解決するための手段】
【０００５】
上記目的を達成する本発明のホログラム作製方法は、ホログラム記録材料に物体光と参照光を同時に入射させてホログラム記録することで１段階目のホログラムを記録し、その記録した１段階目のホログラムから物体像を再生させ、その再生物体像近傍に２段階目のホログラム記録材料を配置して反射型あるいは透過型のホログラムとして記録するホログラム作製方法において、
２段階目のホログラムを作製する際に、１段階目のホログラムの面近傍にパターン情報を配置し、そのパターン情報にも再生照明光が同時に当たるように１段階目のホログラムに再生照明光を照射して、１段階目のホログラムから物体像を再生させると共に、パターン情報から物体光を発生させ、その再生物体像近傍に２段階目のホログラム記録材料を配置して物体の像とパターン情報をホログラム記録することで２段階目のホログラムとして記録することを特徴とする方法である。
【０００６】
この場合、２段階目のホログラムが体積ホログラムとして記録されることが望ましい。
【０００７】
また、１段階目のホログラム及び２段階目のホログラム記録時に用いる参照光として略平行な光を用いることが望ましい。
【０００８】
本発明のホログラムは、所定の再生照明光を照射したときに、ホログラム面近傍に物体像が再生され、かつ、ホログラム面から所定距離離間した位置に窓とその窓内に配置したパターン情報とが再生されるように記録されていることを特徴とするものである。
【０００９】
この場合、体積ホログラムからなることが望ましい。
【発明の効果】
【００１０】
本発明によれば、イメージホログラムとして記録された物体情報とは別に、コバート情報としてのパターン情報がホログラム面から離れた位置に同時に記録でき、通常照明下では観察することができないパターン情報を含んだホログラムを作製することができる。そのホログラムはコヒーレント光で観察すると、物体情報とは別にホログラムから離れた位置にパターン情報である文字、数字、記号等が観察できるため、コヒーレント光照明下でそのようなパターン情報が観察できるか否かによってそのホログラムの真贋判定が可能になり、偽造困難なセキュリティ性の高いホログラムを作製することができる。しかも、コバート情報を記録したホログラムを作製しなくてよく、ホログラムを重ね合せて作製する必要もなく、少ない工程で作製することができる。
【発明を実施するための最良の形態】
【００１１】
以下、本発明のホログラム作製方法と作製されたホログラムを実施例に基づいて説明する。
【００１２】
本発明のホログラム作製方法は、２ステップ法により体積ホログラムを作製する場合に、２段階目のホログラム（以下、Ｈ２ホログラムと呼ぶ。）を作製する際に、１段階目のホログラム（以下、Ｈ１ホログラムと呼ぶ。）の面近傍に文字、数字、記号等のパターン情報を配置し、そのパターン情報にも同時に再生照明光が当たるように再生照明光をＨ１ホログラムに照射してＨ１ホログラムから記録物体像を再生させ、その再生物体像近傍に２段階目のホログラム用のホログラム記録材料を配置して反射型あるいは透過型の体積ホログラムとして記録する方法である。
【００１３】
以下、図面を参照にして説明する。図１は、本発明に基づいて２ステップ法によりホログラムを作製する際の１段階目のＨ１ホログラムの撮影配置（ａ）と２段階目のＨ２ホログラムの撮影配置（ｂ）とを示す側面図である。また、図２（ａ）は図１（ｂ）に対応する斜視図、図２（ｂ）はパターン情報を配置しＨ１ホログラムの正面図である。
【００１４】
フォトポリマー、銀塩材料等のＨ１ホログラム記録用感光材料１１を用い、図１（ａ）に示すように、本発明のホログラムに記録する物体（ここでは、立方体で示してある。）Ｏに面してその感光材料１１を配置する。そして、物体Ｏを所定波長のレーザ光で照明して物体Ｏで散乱された物体光１を感光材料１１に入射させると共に、感光材料１１の面に入射角θで物体光１と可干渉な同一光源からの平行光からなる参照光２を同時に入射させ、感光材料１１に物体Ｏのホログラムを露光する。このホログラムが露光された感光材料１１を後処理してＨ１ホログラム１１を作製する。ここで、感光材料１１とＨ１ホログラム１１を同じ符号１１で示す。
【００１５】
次いで、図２（ｂ）に示すように、得られたＨ１ホログラム１１の面上あるいはその近傍の一部の領域、例えば、その周辺の一部に文字、数字、記号等のパターン情報１２を配置する。このパターン情報１２としては、Ｈ１ホログラム１１の面に書き込んだり、Ｈ１ホログラム１１にホログラムを記録するときに感光材料１１にパターン情報１２も記録する等の方法で直接設けてもよく、あるいは、別の透明シート等に所定の文字、数字、記号等のパターン情報１２を描いたものをＨ１ホログラム１１の面上あるいはその近傍に配置してもよい。そして、このようなパターン情報１２を配置したＨ１ホログラム１１に、図１（ｂ）、図２（ａ）に示すように、記録のときの参照光２と反対に進む再生照明光３をＨ１ホログラム１１に対して記録のときの参照光２が入射する側とは反対側から入射させる。その際、再生照明光３はパターン情報１２も照明するように入射させる。すると、Ｈ１ホログラム１１から回折光４が生じ、Ｈ１ホログラム１１の面に対して記録のときの物体Ｏの相対位置と同じ位置に物体Ｏの像Ｏ’が再生結像される。この物体Ｏの像Ｏ’が結像される位置近傍にフォトポリマー、銀塩材料等からなる２段階目のＨ２ホログラム記録用感光材料２１を配置し、再生照明光３と可干渉な同一光源からの平行光からなる参照光５を回折光４と反対側あるいは同じ側から任意の入射角で同時に入射させ、感光材料２１中に２段階目のＨ２ホログラムを露光する。この際、再生照明光３が当たったパターン情報１２からは散乱光又は回折光が生じ、その散乱光又は回折光が物体光となって参照光５と干渉することで、パターン情報１２の像もホログラムとして露光される。この２段階目のＨ２ホログラムが露光された感光材料２１を後処理してＨ２ホログラム２１を作製する。ここで、感光材料２１とＨ２ホログラム２１を同じ符号２１で示す。
【００１６】
以上のようにして記録されたＨ２ホログラム２１は体積ホログラムであり、参照光５を回折光４と反対側から入射させる図２の場合は反射型ホログラムとして記録され、参照光５を回折光４と同じ側から入射させる場合は透過型ホログラムとして記録される。
【００１７】
図３（ａ）に側面図、（ｂ）に斜視図を示すように、このようにして記録されたＨ２ホログラム２１に記録のときの参照光５と反対に進むコヒーレンシーの高い再生照明光６を、Ｈ２ホログラム２１に対して記録のときの参照光５とは反対側から入射させると、回折光７により物体Ｏの像Ｏ’の像Ｏ”がＨ２ホログラム２１近傍に再生されると共に、元のＨ１ホログラム１１の位置にＨ１ホログラム１１の記録面と同じ大きさの窓２５が再生され、その窓２５内にパターン情報１２の像１２’も再生される。したがって、所定方向（記録のときの参照光５と反対方向で反対側）にコヒーレント光６を照射すると、観察者にはＨ２ホログラム２１近傍に物体Ｏの像Ｏ”が、また、Ｈ２ホログラム２１から離間した窓２５の中にパターン情報１２の像１２’が観察できる。
【００１８】
しかしながら、蛍光灯等からの照明光のようなコヒーレンシーの低い再生照明光６の下では、Ｈ２ホログラム２１面から離間した窓２５の位置に再生されるパターン情報１２の像１２’はボケて分解可能には見えない。
【００１９】
したがって、通常照明下では観察することができないパターン情報１２の像１２’を含んだホログラム２１が作製され、そのホログラム２１をレーザ光等のコヒーレント光又は太陽光等の平行度の高い光で再生すると、物体Ｏの像Ｏ”とは別にホログラム２１から離れた位置にパターン情報１２の像１２’である文字、数字、記号等が観察できるため、コヒーレント光又は太陽光照明下でそのようなパターン情報１２の像１２’が観察できるか否かによってそのホログラム２１の真贋判定が可能になる。
【００２０】
以上において、文字、数字、記号等のパターン情報１２は微細なパターン程発見され難く偽造が困難になり、セキュリティ性が向上する。また、パターン情報１２のＨ１ホログラム１１の面上での配置位置は、パターン情報１２が微細なパターンであれば、その周辺に限らず中心部近傍であってもよい。
【００２１】
なお、図１（ａ）の配置において、Ｈ１ホログラム１１撮影時の参照光２として発散光を用いると、図１（ｂ）、図２のＨ２ホログラム２１を作製する際の再生照明光３として収束光を用いなければならず、感光材料１１よりも大きな大口径の凸レンズを用いて感光材料１１全域をカバーする収束光を発生させることが必要となり、記録装置が高価になってしまう。したがって、参照光２、再生照明光３として平行光を用いることにより、感光材料１１と同等サイズのレンズ若しくは放物面鏡を使用すればよいことになる。
【００２２】
以上、本発明のホログラム作製方法及びその方法により作製されたホログラムを実施例に基づいて説明してきたが、本発明はこれら実施例に限定されず種々の変形が可能である。
【図面の簡単な説明】
【００２３】
【図１】本発明に基づいて２ステップ法によりホログラムを作製する際の１段階目のＨ１ホログラムの撮影配置（ａ）と２段階目のＨ２ホログラムの撮影配置（ｂ）とを示す側面図である。
【図２】図１（ｂ）に対応する斜視図（ａ）とパターン情報を配置しＨ１ホログラムの正面図（ｂ）である。
【図３】作製されたホログラムの作用を説明するための側面図（ａ）と斜視図（ｂ）である。
【符号の説明】
【００２４】
１…物体光
２…参照光
３…再生照明光
４…回折光
５…参照光
６…再生照明光
１１…Ｈ１ホログラム記録用感光材料（Ｈ１ホログラム）
１２…パターン情報
１２’…パターン情報の像
２１…Ｈ２ホログラム記録用感光材料（Ｈ２ホログラム）
２５…窓
Ｏ…物体
Ｏ’…物体の像
【図１】
2007163730.tif 000003
【図２】
2007163730.tif 000004
【図３】
2007163730.tif 000005